(57)【要約】      （修正有）【課題】特に照射光量が求められるアウトドアでの使用、災害や停電時等の非常時の使用にも適した携帯用の照明器具を提供する。【解決手段】携帯用照明器具は、筐体内上部に、照度に優れる光源を備え、さらにその照度性能を効率的に発揮せしめるべく、筐体側面の少なくとも１つの側面及び底面部に、照射量を調整するための孔を設けている。持ち上げた場合に足元や周辺域を照射することができることから、安全歩行ができる。【選択図】図１
0003233891.tif 000002
【実用新案登録請求の範囲】
【請求項１】
照明器具であって、当該照明器具の筐体内上部に光源を備え、筐体側面の少なくとも1つの側面及び底面部に、照射量を調整するための孔を設けてなることを特徴とする携帯用照明器具。
【請求項２】
筐体内上部に備える光源がハロゲンまたはＬＥＤである請求項１に記載の携帯用照明器具。
【請求項３】
筐体内上部に備える光源が点灯機能を有することを特徴とする請求項１又は請求項２のいずれかに記載の携帯用照明器具。
【請求項４】
筐体表面に、防汚または抗菌機能を有する塗装を施したことを特徴とする請求項１又は請求項３のいずれかに記載の携帯用照明器具。
【考案の詳細な説明】
【技術分野】
【０００１】
本考案は、利便性と照射効率を追求した携帯用照明器具である。
さらに詳細には、照明器具の筐体内上部に光源を備え、筐体側面の少なくとも1つの側面及び底面部に、照射量を調整するための孔を設けてなることを特徴とする携帯用照明器具に関するものである。
【背景技術】
【０００２】
従来から、携帯用照明器具として代表的な一つである、いわゆるランタンは、キャンプや行楽等のアウトドアレジャーにおいて欠かせないツールであり、キャンプサイトでの食事や歓談の際には、灯りをともす役割はもとより、楽しさを一層際立たせる演出の役割も大きいことから、いろんな付加機能が開発されてきた。
【０００３】
また、光源は出力や光量の面からガス燃焼タイプが主流であったが、安全性の配慮から電池を利用したランタンが良く使われるようになってきた。
【０００４】
さらに、光量の性能面からも開発が進み、昨今ではLED光源が主流となってきている。当該LED光源は、軽量であり、携帯性照明器具としての応用が進み、アウトドアでのランタンの光源としても大変便宜である。
【０００５】
一方、ランタンは用途面での変遷も大きい。すなわち、環境変化によるニーズの多様性である。例えば、昨今の気象変動による災害は常態化しつつあり、携行性に優れた照明器具は常備品となった。キャンプ用品の捉え方も、単にレジャーという側面のみならず、災害時の避難用アイテムとして重要な位置を占め、ランタンも緊急避難時の欠かせないアイテムの一つである。
【０００６】
このような、ニーズと用途拡大においては、当然にランタンの機能・性能にも変化が求められる。
【０００７】
コロナ禍のレジャーとしては、人流を避け、人との非接触型の需要、いわゆる巣篭り需要が増し、キャンプ等のアウトドアイベントへの人気が高まっているところ、子供たちを含む家族総出での行楽の一つとしてさらに様々な進化を求められている。参加する年齢層も幅広いが、特に照明器具は、子供たちにも安全に使用できるものでなければならない。
【０００８】
ここで、従来の技術を概観すると以下のとおりである。
例えば、特許文献１には、キャンプや行楽に便利な、軽自動車用電池つきの携行可能なランタンが開示されている。当該ランタンには、軽自動用バッテリーを内蔵した筐体には発光部、インバータや切り替えスイッチ類、充電端子、コンセント類及び安全装置等の電源装置が格納され、発光部の高さを変えられるスライドアームが備えられ、発光部は回転が自在である。により高さを変える。また発光部２はスライドアーム３ の上端に軸支され、回転が自在である。
【０００９】
しかしながら、バッテリーを内蔵することから、ランタン全体の重量が嵩み、携帯性には難点がある。また、発光部の可変性にも拘わらず、底部バッテリーへの照射部が陰影をつけ、足元等が暗く危険である。
【００１０】
特許文献２には、再充填可能な燃料貯蔵タンク、燃料供給の下部組織部、マントル及びリフレクタ付きのバーナ、グローブ、熱遮蔽体付きの通気装置、プラスチックのハウジング、輸送中のグローブを保護する移動可能な遮蔽体及びランタンを吊り下げて運ぶための取っ手を備えた簡素でコンパクトなランタンが開示されている。
【００１１】
しかしながら、性能とデザイン改良はされているものの、燃焼タイプであることから安全面で不十分であり、操作性も煩雑である。
【００１２】
特許文献３には、サーチ機能とランタン機能の切替えが容易な照明装置が開示されている。当該照明装置は、電池を電源とし、前記電池と光源を保持する本体ケース、前記電池と光源を電気的に接続する回路部、前記回路部の電気的接続を切替えるスイッチ手段、前記本体ケースに保持された光源の光りを周囲に放つように配置された照明ケース、前記照明ケースを覆うように配置され前記照明ケースをスライドするスライドヘッドと前記スライドヘッドに装着され、光源の光を集光及び散光にできる反射鏡で構成されるものであり、前記スライドヘッドを動かすことで、容易に光の集光及び散光ができるものである。
【００１３】
当該照明装置は電池を電源とすることから、安全面は特に問題ないが、本体下部が上部光源から照射された場合に影ができ、一定の領域は真っ暗になる等、機能面では不十分である。特にランタン機能に切り替えた場合に、足元を照射する機能に劣るため、夜間の釣り場やキャンプサイトの移動時には大変危険である。
【００１４】
特許文献４には、ランタン又は非常用照明器具として利用可能な照明器具が開示され、当該照明器具は、器具１台 により複数箇所の照明を容易に行なうことが可能である。光源としてＬＥＤを採用し、コンパクトな形態を実現しているが、上部へ開放された照射であり、照明器具直下の照射が十分にできない。携帯した場合には、足元等への照射領域に限界がある。
【００１５】
上記のとおり、従来技術によれば、個々の機能性はある程度改善されてきているものの、特に昨今のパンデミックや災害等の未曾有の環境変化により、激変したライフスタイルに適応した照明器具はなく、その提供が待たれている。
【００１６】
このような状況に鑑み、考案者らは、パラダイムシフトに適応した携帯用の照明器具を考案することを検討し、本考案を完成するに至った。
【先行技術文献】
【特許文献】
【００１７】
【特許文献１】特開平１０−２２８８０１号公報
【特許文献２】特開２００１―９３３０２号公報
【特許文献３】特開２００６−２１００４２号公報
【特許文献４】特開２０１３−３３６７５号公報
【考案の概要】
【考案が解決しようとする課題】
【００１８】
本考案は、上記の問題点に鑑みて提案されたものであって、家庭内インテリア用途はもとよりであるが、特に照射光量が求められるアウトドアでの使用、災害や停電時等の非常時の使用にも適した携帯用の照明器具を提供することを目的とするものである。
【課題を解決するための手段】
【００１９】
上記課題解決のため、種々検討した結果、照明器具の筐体上部に光源を設け、筐体側面と底面に照射量調整の孔を設けることによって上記の目的を達成することを見出し、所望の効果を発揮できる本考案を完成するに至った。
【００２０】
すなわち、本発明によれば、以下の携帯用照明器具が提供される。
（１）照明器具であって、当該照明器具の筐体内上部に光源を備え、筐体側面の少なくとも1つの側面及び底面部に、照射量を調整するための孔を設けてなることを特徴とする携帯用照明器具。
（２）筐体内上部に備える光源がハロゲンまたはＬＥＤである（１）に記載の携帯用照明器具。
（３）筐体内上部に備える光源が点灯機能を有することを特徴とする（１）又（２）のいずれかに記載の携帯用照明器具。
（４）筐体表面に、防汚または抗菌機能を有する塗装を施したことを特徴とする（１）又は（３）のいずれかに記載の携帯用照明器具。
【００２１】
上記のとおり、従来のアウトドア用の照明器具は、光源が底面に設置されているものが多く、足元の照射ができなかった。光源が上部に設置されたものもあるが、底面は開放されていないため、照射角度の関係で、底面直下の部分の一定領域は全く見えず、暗闇での作業や移動に支障があった。本考案においては、その解決のため、底面部に孔を設けた。孔は、死角を無くすために筐体側面にも設けることができ、その面積や形状は筐体の大きさに応じて調整することができ任意である。
【００２２】
筐体の材質は、特に制限はないが、キャンプサイト等の屋外では転倒防止の安定性を考慮し、例えば鉄、ステンレスなどの金属素材が好ましい。屋外使用では、風雨のような過酷な環境下での使用も想定され、その場合には湿度の影響で錆が発生するため、適宜錆防止のメッキやコーティングを施すのが好ましい。筐体表面には、コロナ禍のウィルス感染予防のため、防汚または抗菌機能を有する塗装を施すことも任意である。例えば、アナターゼ型の酸化チタンと銅または銀で構成されるハイブリッド型の光触媒コーティングが最適である。
【００２３】
室内インテリアとしては、樹脂製を採用することができ、この場合、ファンタムライト等の特殊光源との組合せによってデザイン性の高い照射が実現でき、アメニティ空間の演出に便宜である。樹脂製であれば、デコレーションも容易であり、様々な演出が可能である。
【００２４】
本考案における筐体の形状は、上部に電源の設置が出来るスペースがあれば特段制限されないが、加工のし易さから、直方体が好ましい。
【００２５】
電源は、軽量化して携帯性を上げるために電池型のハロゲンランプやＬＥＤランプが最適である。これらは、非常灯としての機能を担保すべく、点滅可能なものを設置するのが好ましい。
【００２６】
筐体上部の固定は、化学反応型の瞬間接着剤が好ましく、鉄やステンレス等の金属素材にも強力に固定できる。例えば、シアノアクリレートを主成分とする接着剤の他、エポキシ系樹脂で構成される接着剤が挙げられるが、紫外線の影響や経時的な耐久性を考慮すると、エポキシ系樹脂を主成分とする最適である。最も代表的なものは、ビスフェノールAとエピクロロヒドリンの共重合体が挙げられるが、これに限定されず、本考案においては、公知の素材を適宜選択して使用し得る。
【００２７】
本考案で好適な具体例として、ポリエーテル主鎖の末端にチオール基を導入した液状樹脂が挙げられる。エポキシ系接着剤というのは、エポキシ樹脂と呼ばれる液状樹脂を、ポリアミン類と呼ばれる硬化剤とを組み合わせ、常温域で化学反応（架橋）させることで硬化させることを特徴とする２液型接着剤の総称である。エポキシ樹脂側を主剤とし、その硬化剤であるポリアミン側を硬化剤として使用に供するものであり、耐熱性、耐水性に優れることから屋外の過酷な条件での使用に適している。使用法は、主剤と硬化剤をチューブから等量絞り出し、２液を混合して速やかに使用する。これら混合接着剤は、常温域で液状を保持している間は接着に供することができる。
【考案の効果】
【００２８】
本考案によれば、屋内はもとより、屋外であらゆるシーン、例えば、キャンプサイトや釣り場、さらには災害非常時の避難時に適した携帯用照明器具が提供されるものである。当該照明器具の筐体内上部には、照度に優れる光源を備え、さらにその照度性能を効率的に発揮せしめるべく、筐体側面の少なくとも1つの側面及び底面部に、照射量を調整するための孔を設けているところ、持ち上げた場合に足元や周辺域を照射することができることから、安全歩行ができる。
【００２９】
また、光源には点滅機能を保持させることで、災害時のサーチライトにもなる利便性を提供し得る。
【００３０】
さらに、筐体には光触媒等の抗菌性能を有する塗料を施すことにより、新型コロナウィルスの感染によって感染が発生することを予防し得るものである。
【図面の簡単な説明】
【００３１】
【図１】本考案の携帯用照明器具の一例を示す全体図であって、図２，３，５，７および９の各基本パーツを使用して完成した実施例を示したものである。
【図２】本考案の携帯用照明器具の基本パーツである取手部分の一例である。
【図３】本考案の携帯用照明器具の基本パーツである上面カバーの展開図である。
【図４】本考案の携帯用照明器具の基本パーツである上面カバーの完成図である。
【図５】本考案の携帯用照明器具の基本パーツである側面の展開図である。
【図６】本考案の携帯用照明器具の基本パーツである側面の完成図である。
【図７】本考案の携帯用照明器具の基本パーツである側面の展開図であって、その一部にデザインを施した一例である。
【図８】本考案の携帯用照明器具の基本パーツである底面部の展開図である。
【図９】本考案の携帯用照明器具の基本パーツである底面部の完成図である。
【考案を実施するための形態】
【００３２】
本考案は、照度性能に優れた携帯用照明器具であって、屋内および戸外のあらゆる生活シーンに対応し得る照明器具である。光源も電池挿入型のハロゲン、ＬＥＤを使用することから、安全であり、幅広い年齢層に受け入れられる操作性を備える照明器具である。
【００３３】
図1は、前記当該本考案の携帯用照明器具の一例で、その全体構成図を示したものである。
すなわち、図１は、図２，３，５，７および９の各基本パーツを使用して完成した実施例を示したものである。筐体の構造やサイズは用途に応じて適宜選択調整することができ、任意である。
【００３４】
素材は金属製、特に鉄やステンレスが好ましく、予め３ＤＣＡＤで描いた設計図をもとに各パーツの展開図作成し、鉄板を当該設計図に沿って裁断加工する。裁断加工は、制作機に備えるアプリケーションに送信した加工情報により自動製作するが、側面部の孔のサイズ、形状は任意であり、図７のようにデザイン処理することは、本考案の照度性能を損なわない範囲で任意に行うことができる。
【００３５】
図８および９に示した底面部の基本パーツにおいて、孔のサイズと形状が様々採択できるが、５つの照射ポイントを設けることが好ましい。
【００３６】
図２の取手は、グリップ部分を握りやすくする形状にすることは特に制限されないが、筐体の総重量との関係で強度が劣らないように固定することが必須である。
【図１】
0003233891.tif 000003
【図２】
0003233891.tif 000004
【図３】
0003233891.tif 000005
【図４】
0003233891.tif 000006
【図５】
0003233891.tif 000007
【図６】
0003233891.tif 000008
【図７】
0003233891.tif 000009
【図８】
0003233891.tif 000010
【図９】
0003233891.tif 000011